(57)【特許請求の範囲】
【請求項１】
ポリトリメチレンテレフタレートを主成分とする樹脂からなるブラシ用ブリッスルであって、
先端に向かって断面積が減少するテーパー形状部分を先端側に備えており、
先端から３００μｍの領域における表面の算術平均粗さＲａが、０．２〜１μｍとなっており、
先端から５ｍｍの位置を中心とした、軸方向の３００μｍの領域における表面の算術平均粗さＲａが、０．０７〜０．４μｍとなっており、
前記先端から３００μｍの領域における表面の算術平均粗さＲａと、前記先端から５ｍｍの位置を中心とした軸方向３００μｍの領域における表面の算術平均粗さＲａとの差が、０．１〜０．６μｍとなっているブラシ用ブリッスル。
【請求項２】
前記テーパー形状部分以外の部分の最大直径が、１３０〜２５０μｍとなっている請求項１記載のブラシ用ブリッスル。
【請求項３】
前記先端から３００μｍの領域における表面の算術平均粗さＲａの、前記テーパー形状部分以外の部分の最大直径に対する比（Ｒａ／最大直径）が、１×１０-3〜６×１０-3となっている請求項２記載のブラシ用ブリッスル。
【請求項４】
請求項１〜請求項３のいずれか１項記載のブラシ用ブリッスルの製造方法であって、前記ポリトリメチレンテレフタレートを主成分とする樹脂からなるブリッスルの先端部を、アルカリ剤を含む薬液に浸漬して、先端から３００μｍの領域における表面の算術平均粗さＲａが、０．２〜１μｍとなるように加工する工程を含むブラシ用ブリッスルの製造方法。
【請求項５】
請求項１〜請求項３のいずれか１項記載のブラシ用ブリッスルが、ヘッド部に植毛されるブリッスルの少なくとも一部として植設されている歯ブラシ。
【発明の詳細な説明】
【技術分野】
【０００１】
本発明は、ブラシ用ブリッスル、該ブラシ用ブリッスルの製造方法、及び歯ブラシに関する。
【背景技術】
【０００２】
例えば歯ブラシ等の、清掃用又は洗浄用のブラシ具に用いられる樹脂製のブリッスル（ブラシ毛材）として、ポリアミド（ナイロン６−１０、ナイロン６−１２）やポリブチレンテレフタレート（ＰＢＴ）等によるブリッスルが一般に用いられているが、近年、耐久性に優れるポリエステル樹脂である、ポリトリメチレンテレフタレート（ＰＴＴ）によるブリッスルが種々開発されている（例えば、特許文献１参照）。ＰＴＴは、伸長回復性に優れ、低い応力で伸長すると共に、その回復力も高いことから、例えば歯ブラシのブリッスルとして用いた場合、ナイロン（登録商標）やＰＢＴを用いたブリッスルと比較して、柔らかい感触が得られると共に、耐久性に優れている。
【０００３】
また、ブリッスルの先端側部分を、先端に向かって断面積が減少するテーパー形状に形成することにより、例えば歯間や歯周ポケットなどの極く狭い部分にまで毛先部を届かせて、これらの部分の歯垢等の汚れを効果的に除去できるようにしたブリッスルが知られており、これに加えて、テーパー形状の先端側部分に豆痕状や蛇腹状の凹凸を形成することで、例えば歯垢等の歯の汚れの掻き出しによる除去効果を高めた歯ブラシも開発されている（例えば、特許文献２参照）。
【０００４】
さらに、ＰＴＴによるブリッスルに関しても、先端側部分を、先端に向かって断面積が減少するテーパー形状に形成すると共に、テーパー形状の先端側部分の表面に凹凸を形成することで、天然獣毛によるブリッスルと同様の、しなやかさと、化粧料や薬剤の優れた保持性が得られるようにしたブリッスルも開発されている（例えば、特許文献３参照）。
【先行技術文献】
【特許文献】
【０００５】
【特許文献１】特開２００５−８０９５８号公報
【特許文献２】特開平８−４７４２３号公報
【特許文献３】特開２００６−１４１９１１号公報
【発明の概要】
【発明が解決しようとする課題】
【０００６】
ＰＴＴによるブリッスルは、そのゴム状弾性による柔軟性及び復元性によって、ナイロン（登録商標）やＰＢＴを用いた細いブリッスルと比較して、より太いブリッスルでも、同様の柔らかい感触を得ることが可能であるが、その一方で、清掃部への当たりも柔らかいために清掃実感に欠ける虞がある。
【０００７】
また、特許文献３のブリッスルのように、ＰＴＴによるブリッスルの先端側部分をテーパー形状に形成すると共に、図６に示すような１〜１２μｍ程度の深い凹凸を形成した場合には、獣毛のような柔らかさによって、かえって清掃性等を損なうことになる。
【０００８】
本発明は、柔らかい感触を得ることができると共に、先端側部分が細かい凹凸にも入りやすく、且つ清掃時の摩擦力を向上することが可能となり、柔らかな感触と清掃実感とを両立することができると共に、摩擦力の高さにより化粧料や剤に対する優れた保持性を得ることのできるブラシ用ブリッスル、該ブラシ用ブリッスルの製造方法、及び該ブラシ用ブリッスルを用いた歯ブラシに関する。
【課題を解決するための手段】
【０００９】
本発明は、ポリトリメチレンテレフタレートを主成分とする樹脂からなるブラシ用ブリッスルであって、先端に向かって断面積が減少するテーパー形状部分を先端側に備えており、先端から３００μｍの領域における表面の算術平均粗さＲａが、０．２〜１μｍとなっているブラシ用ブリッスルに関する。
【００１０】
また、本発明は、上記ブラシ用ブリッスルの製造方法であって、前記ポリトリメチレンテレフタレートを主成分とする樹脂からなるブリッスルの先端部を、アルカリ剤を含む薬液に浸漬して、先端から３００μｍの領域における表面の算術平均粗さＲａが、０．２〜１μｍとなるように加工する工程を含むブラシ用ブリッスルの製造方法に関する。
【００１１】
さらに、本発明は、上記ブラシ用ブリッスルが、ヘッド部に植毛されるブリッスルの少なくとも一部として植設されている歯ブラシに関する。
【発明の効果】
【００１２】
本発明のブラシ用ブリッスル、又は該ブラシ用ブリッスルを用いた歯ブラシによれば、柔らかい感触を得ることができると共に、清掃時や洗浄時における高い摩擦力により清掃実感が得られ、極く狭い部分の汚れに対しても優れた除去効果を得ることができると共に、かかる高い摩擦力により化粧料や剤に対する優れた保持性を得ることができる。
【００１３】
また、本発明のブラシ用ブリッスルの製造方法によれば、上記ブラシ用ブリッスルを容易に製造することができる。
【図面の簡単な説明】
【００１４】
【図１】本発明の好ましい一実施形態に係るブラシ用ブリッスルを用いた清掃用又は洗浄用のブラシ具である歯ブラシの略示側面図である。
【図２】図１の歯ブラシの植毛台に設けられた植毛穴の配置の一例を示す拡大略示上面図である。
【図３】本発明の好ましい一実施形態に係るブラシ用ブリッスルを説明する部分破断拡大略示側面図である。
【図４】本発明の好ましい一実施形態に係るブラシ用ブリッスルの先端部のマイクロスコープによる観察画像である。
【図５】本発明の好ましい一実施形態に係るブラシ用ブリッスルの毛先部のマイクロスコープによる観察画像である。
【図６】従来のブラシ用ブリッスルの毛先部のマイクロスコープによる観察画像である。
【図７】比較例１のブラシ用ブリッスルの毛先部のマイクロスコープによる観察画像である。
【発明を実施するための形態】
【００１５】
本発明の好ましい一実施形態に係るブラシ用ブリッスル１０（図３参照）は、清掃用又は洗浄用のブラシ具として、好ましくは図１及び図２に示す歯ブラシ２０の、ヘッド部（植毛台）２１に植設される各々の毛束（タフト）１５を構成する、複数本のブリッスル１６の少なくとも一部として用いられる。すなわち、本実施形態では、歯ブラシ２０は、把持部２２と、ヘッド部２１とこれらを連結する首部２３とからなる歯ブラシ本体２４の、ヘッド部２１に設けられた複数の植毛穴２５に、複数本のブリッスル１６を束ねて形成された複数の毛束１５を、各々植設（植毛）することによって構成される。これによって、本実施形態のブラシ用ブリッスル１０は、ヘッド部２１に植毛されるブリッスル１６の少なくとも一部として植設される。本実施形態のブラシ用ブリッスル１０は、ポリトリメチレンテレフタレートを主成分とする樹脂からなり、図３に示すように、先端側にテーパー形状部分１１を備え、少なくとも毛先部１２の表面が所定の算術平均粗さを備えていることによって（図４、図５参照）、柔らかい感触を得ることができると共に、例えば歯間や歯周ポケットや歯肉溝等の、極く狭い部分の歯垢等の汚れに対して、高い摩擦力により優れた除去効果を発揮できるようになっている。
【００１６】
そして、本実施形態のブラシ用ブリッスル１０は、清掃用又は洗浄用のブラシ具として、好ましくは歯ブラシ２０に用いられる、ポリトリメチレンテレフタレートを主成分とする樹脂からなるブリッスル（ブラシ毛材）１０であって、図３〜図５に示すように、先端に向かって断面積が減少するテーパー形状部分１１を先端側に備えており、先端から３００μｍの領域である毛先部１２の表面の算術平均粗さＲａが、０．２〜１μｍとなっている。
【００１７】
また、本実施形態では、好ましくは、ブラシ用ブリッスル１０における、先端から５ｍｍの位置を中心とした、軸方向の３００μｍの領域における表面の算術平均粗さＲａが、０．０７〜０．４μｍとなっている。
【００１８】
ここで、本実施形態のブラシ用ブリッスル１０を形成するための、ポリトリメチレンテレフタレートを主成分とする樹脂は、好ましくはポリトリメチレンテレフタレートを６５質量％〜１００質量％含む樹脂であり、より好ましくは８０質量％〜１００質量％含む樹脂である。
【００１９】
本実施形態では、歯ブラシ２０のヘッド部２１に植設される各々の毛束１５を構成するブリッスル１６は、少なくとも一部として、好ましくは全部が、ポリトリメチレンテレフタレートを主成分とする樹脂からなるブラシ用ブリッスル１０となっている。本実施形態では、ブラシ用ブリッスル１０は、先端側に、先端に向かって断面積が減少するテーパー形状部分１１を備えている。ブラシ用ブリッスル１０は、テーパー形状部分１１以外の部分が、１３０〜２５０μｍ（約５〜１０mil）の太さ（直径）の円形の断面形状を備える部分となっている。これによって、ブラシ用ブリッスル１０は、テーパー形状部分１１以外の部分の最大直径が、好ましくは１３０〜２５０μｍとなっており、より好ましい最大直径は１５０〜２２０μｍである。
【００２０】
また、本実施形態では、ブラシ用ブリッスル１０のテーパー形状部分１１は、先端に向かって断面積が減少する部分となっており、後述する、アルカリ剤を含む薬液に先端部を浸漬する化学処理による方法によって、ブリッスル１０の先端側に容易に設けることができる。テーパー形状部分１１は、先端からの長さＬ２が、ブリッスル１０のヘッド部２１の表面からの植毛高さＬの２５〜８０％の長さとなるように設けられていることが好ましく、３０〜７０％の長さとなるように設けられていることが更に好ましく、４０〜６０％の長さとなるように設けられることがより一層好ましい。ブリッスル１０のヘッド部２１の表面からの植毛高さＬは、歯肉にソフトな感触を与える点、歯間等への挿入性、及びブリッスル１０にしなやかさを与える観点等から、例えば９〜１５ｍｍとすることができ、好ましくは１０〜１４ｍｍとすることができ、更に好ましくは１１〜１３．５ｍｍとすることができる。
【００２１】
ブラシ用ブリッスル１０における、テーパー形状部分の長さは、ブリッスルの中心軸の長さである。テーパー形状部分の長さは、テーパー形状部分１１の直径が、テーパー形状部分１１以外の部分の最大直径の９５％の大きさとなった位置をテーパー開始部１１ａとして、テーパー開始部１１ａから先端部１２までの長さであり、先端が曲がっている場合は、曲がった部分を伸ばした状態の長さとして、ブリッスルの中心軸の長さを測定する。テーパー形状部分１１の長さは、歯間や歯周ポケットなどの、極く狭い部分への到達性の向上と、柔らかさを得る観点から、好ましくは４〜１０ｍｍであり、より好ましくは５〜８ｍｍである。
【００２２】
そして、本実施形態では、ブラシ用ブリッスル１０のテーパー形状部分１１の先端から３００μｍの領域である毛先部１２における、表面の算術平均粗さＲａが、図４及び図５に示すように、０．２〜１μｍとなっている。ここで、ブラシ用ブリッスル１０のテーパー形状部分１１の表面の算術平均粗さＲａは、例えばＪＩＳ規格Ｂ０６０１（２０１３年改定版）に従って測定、及び計算された平均粗さである。また、テーパー形状部分１１の先端から３００μｍの毛先部１２の領域は、好ましくは市販のマイクロスコープによって、１枚の画像による測定画像を得ることが可能な大きさの領域である。
【００２３】
ブラシ用ブリッスル１０のテーパー形状部分１１の毛先部１２における表面の算術平均粗さＲａが、０．２〜１μｍとなっていることにより、テーパー形状部分における化粧料や剤に対する保持力を向上させることが可能になり、また、清掃時の汚れ除去性能を向上させることが可能になる。また、テーパー形状部分１１の毛先部１２における表面の算術平均粗さＲａは、凹凸によって表面の摩擦力を向上させ、清掃面に付着した汚れを除去しやすくし、及び/または表面積の増大によってブリッスル表面に化粧料や剤を保持しやすくするという観点から、０．２５μｍ以上となっていることが好ましく、０．３μｍ以上となっていることが更に好ましい。テーパー形状部分１１の毛先部１２における表面の算術平均粗さＲａは、表面の凹凸に起因する皮膚や粘膜への過度な摩擦感を感じないようにし、或いはブリッスル１０の弾力性を確保する観点から、０．８μｍ以下となっていることが好ましく、０．７μｍ以下となっていることが更に好ましく、０．６μｍ以下となっていることがより一層好ましい。テーパー形状部分１１の毛先部１２における表面の算術平均粗さＲａは、凹凸による摩擦力を向上させつつ、ブリッスル１０の弾力性を確保する観点から、０．２５〜０．８μｍとなっていることが好ましく、０．３〜０．７μｍとなっていることが更に好ましく、０．３〜０．６μｍとなっていることがより一層好ましい。
【００２４】
また、本実施形態では、好ましくは、テーパー形状部分１１の先端から３００μｍの領域である毛先部１２における表面の算術平均粗さＲａの、テーパー形状部分１１以外の部分の最大直径に対する比（Ｒａ／最大直径）が、１×１０-3〜６×１０-3となっている。これによって、ブリッスル１０の柔らかな感触を保持しながら、歯間等の隙間に入りやすくし、かつ歯の表面等の清掃面への摩擦力を向上させることが可能になる。毛先部１２における表面の算術平均粗さＲａの、テーパー形状部分１１以外の部分の最大直径に対する比（Ｒａ／最大直径）は、ブリッスル１０の適度な弾力性を確保し、毛先部１２の微細な凹凸による清掃性能を確保し、化粧料や剤の保持性を確保する観点から、１．５×１０-3〜５×１０-3となっていることが好ましく、１．８５×１０-3〜４×１０-3となっていることが更に好ましい。
【００２５】
さらに、本実施形態では、好ましくは、テーパー形状部分１１の先端から５ｍｍの位置を中心とした、ブラシ用ブリッスル１０の軸方向の３００μｍの領域における表面の、例えばＪＩＳ規格Ｂ０６０１（２０１３年改定版）に従って測定、及び計算された算術平均粗さＲａが、０．０８〜０．７μｍとなっている。このように、毛先部１２から離れるに従って平均粗さＲａが小さくなることによって、ブリッスル１０の適度な弾力性を十分に確保しながら、毛先部１２の摩擦力を向上させて、清掃性能、及び化粧料や剤の保持性を効果的に向上させることができる。テーパー形状部分１１の先端から５ｍｍの位置を中心とした軸方向の３００μｍの領域における表面の算術平均粗さＲａは、上述のようにブリッスル１０の柔らかさや適度な弾力を確保する観点から、０．１〜０.３５μｍとなっていることが好ましく、０．１５〜０．３μｍとなっていることが更に好ましい。
【００２６】
また、本実施形態では、ブラシ用ブリッスル１０のテーパー形状部分１１の先端から３００μｍの領域である毛先部１２における、表面の算術平均粗さＲａと、先端から５ｍｍを中心とした軸方向の３００μｍの領域における表面の算術平均粗さＲａとの差は、先端部分の摩擦力を確保しながら、ブリッスル１０の弾性を維持する観点から、０．１〜０．６μｍであることが好ましく、０．１５〜０．４５μｍであることがより好ましく、０．１５〜０．３μｍであることが更に好ましい。
【００２７】
本実施形態では、ブラシ用ブリッスル１０のテーパー形状部分１１は、上述のように、アルカリ剤を含む薬液に先端部を浸漬する化学処理による方法によって、ブリッスル１０の先端側に容易に設けることができる。すなわち、ポリトリメチレンテレフタレートを主成分とする樹脂を溶解することが可能な溶剤を用いて、ブリッスル１０の先端部を処理する化学処理による方法によって、ブリッスル１０の先端側に容易に設けることができる。ポリトリメチレンテレフタレートを主成分とする樹脂を溶解することが可能な溶剤として、水酸化ナトリウムや水酸化カリウムによるアルカリ性水溶液等の、アルカリ剤を含む薬液を用いることができる。
【００２８】
アルカリ剤を含む薬液にブラシ用ブリッスル１０の先端部を浸漬して、テーパー形状部分１１を形成する方法は、例えば使用する薬液の種類、ブリッスル１０の先端部を浸漬する際の浸漬速度、浸漬を繰り返す回数等を適宜調整して、先端から３００μｍの領域における毛先部１２の表面の算術平均粗さＲａが、０．２〜１μｍとなるように加工する工程を含んでいる。これによって、テーパー形状部分１１の毛先部１２の表面の算術平均粗さＲａが、０．２〜１μｍとなるように、ブラシ用ブリッスル１０を容易に形成することが可能になる。また同様に、テーパー形状部分１１における先端から５ｍｍの位置を中心とした、軸方向の３００μｍの領域の表面の算術平均粗さＲａが、０．０８〜０．７μｍとなるように加工する工程を含ませることにより、テーパー形状部分１１における先端から５ｍｍの位置を中心とした、軸方向の３００μｍの領域の表面の算術平均粗さＲａが、０．０８〜０．７μｍとなるように、ブラシ用ブリッスル１０を容易に形成することが可能になる。
【００２９】
本実施形態では、上述の構成を備えるブラシ用ブリッスル１０を複数本束ねて形成された複数の毛束１５を、歯ブラシ本体２４のヘッド部２１に設けられた複数の植毛穴２５に、各々植設（植毛）することによって歯ブラシ２０が形成される。毛束１５を植設する方法としては、例えば、毛束１５を平線で２つ折りにして打ち込む方法や、融着植毛等、公知の各種の植毛方法を採用することが可能である。
【００３０】
なお、本実施形態では、好ましくは各々の毛束１５を構成するブリッスル１６の全部が、上述の構成を備えるブラシ用ブリッスル１０となっているが、本実施形態のブラシ用ブリッスル１０は、各々の毛束１５を構成するブリッスル１６のうちの、少なくとも一部として含まれていれば良い。また、本実施形態のブラシ用ブリッスル１０は、しなやかな変形によって毛束１５が歯面に追従し、かつ歯間や歯周ポケット等の極く狭いすき間に毛先が入りやすくなると同時に、柔らかな感触を確保する観点から、各々毛束１５のブリッスル１６に、１０〜１００％の割合で含まれていることが好ましく、５０〜１００％の割合で含まれていることが更に好ましく、８０〜１００％の割合で含まれていることがより一層好ましい。
【００３１】
そして、上述の構成を備える本実施形態のブラシ用ブリッスル１０及び歯ブラシ２０によれば、柔らかい感触を得ることができると共に、高い摩擦力により極く狭い部分の汚れに対する優れた除去効果を得ることが可能になると共に、清掃実感が得られ、且つ化粧料や剤に対する優れた保持性を得ることが可能になる。
【００３２】
すなわち、本実施形態によれば、ブラシ用ブリッスル１０は、ポリトリメチレンテレフタレートを主成分とする樹脂からなり、図３に示すように、先端に向かって断面積が減少するテーパー形状部分１１を先端側に備えており、図４及び図５に示すように、先端から３００μｍの領域である毛先部１２の表面の算術平均粗さＲａが、０．２〜１μｍとなっている。
【００３３】
したがって、本実施形態のブラシ用ブリッスル１０によれば、ポリトリメチレンテレフタレートのゴム状弾性による優れた柔軟性及び復元性に加えて、先端側にテーパー形状部分１１を備えていることで、柔らかい感触を容易に得ることが可能になる。
【００３４】
また、テーパー形状部分１１の毛先部１２の表面に、図６に示す特許文献３のブリッスルのテーパー形状部分の毛先部に形成された、１〜１２μｍ程度の深さの粗い凹凸と比較して、図４及び図６に示すような、算術平均粗さＲａが０．２〜１μｍの微細な凹凸が形成されているので、歯間や歯周ポケットや歯肉溝等の極く狭い部分に毛先部１２を届かせて、これらの部分の歯垢等の汚れを除去する際に、毛先部１２の耐久性を確保しながら、微細な凹凸による高い摩擦力によって、清掃実感が得られると共に、優れた除去効果を得ることが可能になり、且つ例えば歯磨き剤等の剤に対する優れた保持性を得ることが可能になる。
【００３５】
なお、本発明は上記実施形態に限定されることなく種々の変更が可能である。例えば、本発明のブラシ用ブリッスルは、歯ブラシ用のブリッスルとして用いる必要は必ずしも無く、例えば化粧料塗布用ブラシ、身体洗浄用ブラシ、靴磨き用ブラシ、衣類清掃用ブラシ等の、その他の種々の清掃用又は洗浄用のブラシ具に植設されるブリッスルとして用いることができる。本発明のブラシ用ブリッスルは、毛先部の表面の摩擦力が高く、適度な弾力を備えており、洗浄用ブラシ、清掃用ブラシに植設されるブリッスルに好適であり、歯肉への柔らかさの観点から、歯ブラシにより好適に用いることができる。
【実施例】
【００３６】
以下、実施例及び比較例により、本発明のブラシ用ブリッスルをさらに詳細に説明するが、本発明は、以下の実施例及び比較例の記載によって何ら制限されるものではない。
【００３７】
〔実施例１、２の歯ブラシ〕
ヘッド部に植設される毛束を構成するブリッスルの全てが、上記実施形態のブラシ用ブリッスルと同様のブリッスルとなっている、図１及び図２に示す歯ブラシと同様の歯ブラシを、実施例１及び実施例２の歯ブラシとした。実施例１の歯ブラシでは、ブラシ用ブリッスルは、ポリトリメチレンテレフタレートを主成分とする樹脂を用いて形成されており、基端部における太さ（直径）が、７mil（約１８０μｍ）となっている。実施例２の歯ブラシでは、ブラシ用ブリッスルは、ポリトリメチレンテレフタレートを主成分とする樹脂を用いて形成されており、基端部における太さ（直径）が、７mil（約１８０μｍ）となっている。実施例１の歯ブラシのブラシ用ブリッスル、及び実施例２の歯ブラシのブラシ用ブリッスルの基端部における太さ（最大径）、テーパー長、毛先部の平均表面粗さ、毛先から５ｍｍの平均表面粗さ、摩擦力（動摩擦力）、毛穴面積あたりの摩擦力（動摩擦力）、及び毛穴の直径を表１に示す。
【００３８】
〔比較例１、２の歯ブラシ〕
ヘッド部に植設される毛束を構成するブリッスルの全てが、表１に示すブラシ用ブリッスルと同様のブリッスルとなっている、図１及び図２に示す歯ブラシと同様の歯ブラシを、比較例１の歯ブラシとした。比較例１の歯ブラシでは、ブラシ用ブリッスルは、ポリブチレンテレフタレートを主成分とする樹脂を用いて形成されており、基端部における太さ（直径）が、７mil（約１８０μｍ）となっていると共に、先端部が薬液を用いた化学処理によってテーパー加工されていることにより、図７に示すように、毛先部の表面が滑らかな状態となっている。比較例２の歯ブラシでは、ブラシ用ブリッスルは、ポリブチレンテレフタレートを主成分とする樹脂を用いて形成されており、基端部における太さ（直径）が、６mil（約１５０μｍ）となっていると共に、先端部が薬液を用いた化学処理によってテーパー加工されている。なお、比較例２の歯ブラシは、比較例１の歯ブラシよりもブリッスルの先端部の表面粗さが大きく、かつ、摩擦力を測定する際の毛穴が大きいものを用いた。
【００３９】
実施例１、２の歯ブラシ、及び比較例１、２の歯ブラシについて、以下の方法によって、ブラシの摩擦力（動摩擦力）について評価すると共に、ブラシの柔らかさ、毛のコシ、歯の隙間への入り易さ、及び汚れ落ち感について評価した。評価結果を表１に示す。
【００４０】
【表１】
0006779011.tif 000002
【００４１】
〔ブラシの摩擦力の評価〕
ブラシの毛束をたて一列とし、アクリル板の上に寝かせて載せる。往復度測定装置（新東科学（株）、ＨＥＩＤＯＮ  ＴＲＩＢＯＧＥＡＲ／摩擦測定  ＴＹＰＥ−３３）を用いて、毛束の毛先から４ｍｍの位置から毛先まで、荷重５０ｇ、移動速度１０００ｍｍ／ｓ、移動距離４ｍｍにおける動摩擦力を測定した。なお、測定子の表面に人工皮膚（シリコーンゴム製）を付けて測定を行った。３回の測定結果の平均値を表１に示す。
〔ブラシの柔らかさ等の評価〕
実施例１、２の歯ブラシ、及び比較例１、２の歯ブラシを用いて３名でブラッシングを行い、毛の柔らかさ、毛のコシ、歯の隙間への入り易さ、及び汚れ落ち感について下記の評価基準により評価を行った。３名の協議の結果を表１に示す。
・柔らかさ
３：柔らかくてしなやかな感触
２：柔らかいがしなやかさに欠ける
１：柔らかいが歯茎等に刺激を感じる
・毛のコシ
３：毛にコシがある
２：毛にコシがややある
１：毛にコシが無い
・歯の隙間への入り易さ
３：歯の隙間に入り易い
２：歯の隙間にやや入り易い
１：歯の隙間に入りにくい
・汚れ落ち感
３：汚れ落ち感が強い
２：汚れ落ち感がある
１：汚れ落ち感が弱い
【００４２】
評価の結果、実施例１、２の歯ブラシは、柔らかな感触でありながら、しなやかであり、しかも適度な弾力により毛にコシがあると感じられ、その結果、歯間に入り易く、汚れ落ち感にも優れる。これに対して比較例１は、毛先が隙間に入る感覚は得られるが、剛性により毛のコシが感じられ、歯肉に若干の刺激を感じ、比較例２は柔らかいがコシが無く、歯の隙間への入りやすさ、汚れ落ちの感触に欠ける評価であった。
【符号の説明】
【００４３】
１０  ブラシ用ブリッスル
１１  テーパー形状部分
１１ａ  テーパー開始部
１２  毛先部
１５  毛束
１６  ブリッスル
２０  歯ブラシ
２１  ヘッド部
２２  把持部
２３  首部
２４  歯ブラシ本体
２５  植毛穴
θ    テーパー角度
【図１】
0006779011.tif 000003
【図２】
0006779011.tif 000004
【図３】
0006779011.tif 000005
【図４】
0006779011.tif 000006
【図５】
0006779011.tif 000007
【図６】
0006779011.tif 000008
【図７】
0006779011.tif 000009